(57)【要約】      （修正有）【課題】循環湯水の殺菌消毒のプロセスにおいて、安定化二酸化塩素への紫外線照射による改質を活用し、安全確実で即効性のある高度な浄化と防臭及び防腐蝕効果を得る。【解決手段】石英ガラス防護管３内に安定化二酸化塩素１１を注入して紫外線殺菌燈２の照射により、即効性のある二酸化塩素に改質し、循環湯水１２に注いで、トリハロメタン等有害物の副生成を防止しつつ殺菌効果を強化し、防臭防腐蝕防汚染効果を得る。【選択図】図１
0003101502.tif 000002
【実用新案登録請求の範囲】
【請求項１】
ケミカルポンプの圧力により、紫外線殺菌燈の照射を受けつつ流動する安定化二酸化塩素が二酸化塩素に改質され、温水循環回路に定量づつ注入されて、殺菌浄化防臭防腐蝕効果を得る装置。
【請求項２】
請求項１の装置において、ケミカルポンプ以外の加圧手段により、紫外線殺菌燈の照射を受けつつ流動する安定化二酸化塩素が二酸化塩素に改質され、湯水循環回路に定量づつ注入されて、殺菌浄化防臭防腐蝕効果を得る装置。
【考案の詳細な説明】
【０００１】
【考案の属する技術分野】
本考案は、循環する湯水を使用する設備において、紫外線殺菌燈の照射を受けて安定化二酸化塩素から、二酸化塩素に改質される溶液を定量づつ圧力注入して殺菌浄化効果を増強するとともに、防臭防腐蝕効果を得る装置に関する。
【０００２】
【従来の技術】
従来、この種の殺菌浄化装置としては、循環湯水回路内に紫外線殺菌燈装置を設置して、循環湯水に紫外線を照射して殺菌するものがあった。
また、その循環湯水回路に次亜塩素酸ナトリウムを注入して、殺菌浄化能力を強化する方法もとられているが、塩素特有の臭気が発生する。
【０００３】
その他の殺菌消毒方法には、塩素酸ナトリウム、過塩素酸ナトリウム、サラシ粉および前項の次亜塩素酸など、塩素イオンによるものがあるが、それらはトリハロメタンなどの有害副生成を伴ううえ、マンガンイオンおよび鉄イオンによる着色腐蝕を防止できない。
【０００４】
【考案が解決しようとする課題】
循環使用される湯水の殺菌消毒プロセスに、紫外線殺菌燈の照射を用いることは数十年前から広くおこなわれ、その効力も普遍的に認められ、室内の殺菌をはじめ、洗濯物や夜具などの殺菌にも用いられることから、その効用は疑いないところだが、これのみでは循環湯水が持つ臭気及びマンガンイオンの黒色汚染並びに鉄イオンの分離腐蝕などを防止することができない。
【０００５】
次亜塩素酸ナトリウムの注入を紫外線殺菌燈照射に併用する装置においては、次亜塩素酸ナトリウムから発生する臭気と配管をはじめとする設備の腐蝕の防止が課題となる。
【０００６】
本考案が解決しようとする課題は、循環湯水の殺菌消毒プロセスにおいて確実性と即効性が認められる紫外線殺菌燈照射を活用しつつ、高度な防臭と防腐蝕の効果を得ることである。
【０００７】
【課題を解決するための手段】
上記目的を達成するために、本考案の循環回路内湯水殺菌浄化装置においてはまず、安定化二酸化塩素の溶液をケミカルポンプの加圧によって石英ガラスの防護管に注入し、紫外線殺菌燈の照射によって二酸化塩素に改質して循環湯水回路内に送出する。
【０００８】
安定化二酸化塩素そのものは殺菌消毒において遅効性であるが、紫外線照射によって二酸化塩素に改質すると即効性を発揮し、塩素化合物を副生成することななく、メチルメルカブタン、トリメチルアミンなどの臭気を除去し、腐蝕を防ぎマンガンイオン、鉄イオンによる着色汚染を防止する。
【０００９】
安定化二酸化塩素の注入量および紫外線殺菌燈の照射量については、あらかじめ湯水の量に応じて計算された適正値にしたがって自動的機械的にコントロールされる。
【００１０】
（考案の実施の形態）
考案の実施の形態については、図面を参照して説明する。
図１において、（１）は電源に繋がる紫外線発生装置ソケットである。（２）は紫外線殺菌燈管であり、（４）の内側防護石英ガラス管のなかに中空で設置されている。（３）は外側防護石英ガラス管で、（３）と（４）の間隙は（５）の安定化二酸化塩素溶液で満たされ、（２）の紫外線殺菌燈の照射を受けて浄化されながら、二酸化塩素に改質されつつ、（１４）のケミカルポンプの圧力により定率、定量にコントロールされて流動する。（６）はタワー外壁であり、（７）は外壁と外側防護石英ガラス管との間の空間である。（１）から（７）までの装置は主として、安定化二酸化塩素溶液の紫外線殺菌燈照射による浄化と二酸化塩素への改質プロセスを表している。
【００１０】
安定化二酸化塩素は、通常の二酸化塩素が引火性、自然発火性、爆発性のほか刺激性を持つのに対し、引火性、自然発火性、爆発性、刺激性を持たず安全であり、保管取り扱いに適しているが、殺菌能力は遅効性で、二酸化塩素の即効性に及ばない。これが、安定化二酸化塩素を二酸化塩素に改質して使用する理由である。
【００１１】
図１において、（９）は二酸化塩素に改質された溶液の湯水槽への配管を示し（１０）は、安定化二酸化塩素のタンクを示し、（１１）はタンク内の安定化二酸化塩素の０．０５％から５％の範囲の溶液を示す。この溶液は、あらかじめコンテトロールされた定率、定量方式に従い、（１３）のケミカルポンプの圧力により，（１５）のノズルから石英ガラス防護管たる（３）と（４）の間隙に送られ、二酸化塩素に改質浄化されて、（５）から（９）の配管を経由して（８）の吐水口から、（１２）の湯水タンクに注ぐ。（１４）は送出配管側のケミカルポンプであり、（１３）のケミカルポンプが十分な送出圧力を持つ場合には不要である。
【００１２】
【考案の効果】
本考案は上述の通り構成されているので、次ぎに記載する効果を奏する。
【００１３】
安全な安定化二酸化塩素溶液に、紫外線殺菌燈を照射し、殺菌浄化しつつ、二酸化塩素に改質して循環湯水に注ぐことにより、紫外線殺菌燈の殺菌浄化能力を補強するばかりでなく、安定化二酸化塩素及び二酸化塩素の酸化力により、脱臭防腐、防腐蝕を行ない、マンガンイオン、鉄イオンによる着色を防止し、関連配管設備の腐蝕を防止する。
次亜塩素酸ナトリウム、過塩素酸ナトリウム、塩素酸ナトリウム、サラシ粉など、塩素イオンにより殺菌消毒する方法では、トリハロメタンなどの有害塩素化合物の副生成があるのに対し、本考案では有機物のジサルファィド結合に酸素原子を反応させて固定化させる方法で、酸素原子の酸化力を用いて有害物の生成を防ぎ、メチルメルカブタン、トリメチルアミンなど悪臭の除去と着色汚染及び腐蝕の防止をおこなうものであり、応用範囲も多大である。
【図面の簡単な説明】
【図１】本考案の構造の全体縦断面図である。
【符号の説明】
（１）  紫外線発生装置ソケット
（２）  紫外線殺菌燈
（３）  外側石英ガラス防護管
（４）  内側石英ガラス防護管
（５）  安定化二酸化塩素及び改質された二酸化塩素の溶液
（６）  タワー外壁
（７）  タワー外壁と外側石英ガラス管との間隙空間
（８）  二酸化塩素溶液吐出口
（９）  二酸化塩素溶液送出管
（１０）  安定化二酸化塩素タンク
（１１）  安定化二酸化塩素０．０５％から５％の範囲の溶液
（１２）  循環湯水
（１３）  ケミカルポンプ
（１４）  ケミカルポンプ
（１５）  安定化二酸化塩素注入ノズル
【図１】
0003101502.tif 000003
【手続補正書】
【提出日】平成15年3月25日(2003.3.25)
【手続補正１】
【補正対象書類名】明細書
【補正対象項目名】実用新案登録請求の範囲
【補正方法】変更
【補正の内容】
【実用新案登録請求の範囲】
【請求項１】
液体貯蔵タンクから管接続により、円筒型で紫外線殺菌灯を中心に二重石英ガラス被覆で取り巻くタワーを経由して、循環湯水に至る注水機構であり、液体貯蔵タンク（１１）から、ケミカルポンプ（１３）の圧力により、０．０５％乃至０．５％の範囲の安定化二酸化塩素溶液をノズル（１５）を経由して、紫外線殺菌灯（２）を取り巻く二重の石英ガラス管（３）、（４）の間隙（５）に底部から満たし、紫外線照射により殺菌すると同時に、安定化二酸化塩素溶液を二酸化塩素溶液に改質して、上部から放出させ、循環湯水に混和せしめる機構。
【請求項２】
請求項１の機構において、液体貯蔵タンクから円筒タワー底部への安定化二酸化塩素溶液注入をケミカルポンプ使用以外の方法によって行なう機構。
【手続補正書】
【提出日】平成15年8月1日(2003.8.1)
【手続補正１】
【補正対象書類名】明細書
【補正対象項目名】実用新案登録請求の範囲
【補正方法】変更
【補正の内容】
【実用新案登録請求の範囲】
【請求項１】
図１を参照すると、（１３）のケミカルポンプの動力加圧により、（１０）の安定化二酸化塩素貯液タンクから、（１１）の安定化二酸化塩素の０．０５％から５％の範囲の溶液を、（１５）のノズルを通して、（２）の紫外線殺菌灯を取り巻く二重輪構造の、（３）及び（４）の石英ガラス管の内側間隙下部に注入して紫外線殺菌灯照射により、二酸化塩素に変質させ、石英ガラス管上部から溢れた溶液を、配管（９）により循環湯水（１２）に定量づつ注ぐ装置。
【請求項２】
請求項１の装置において、（２）の紫外線殺菌灯及びこれを取り巻く二重輪構造の石英ガラス管を直立形式とせず、傾斜及び曲げを用いる形式とした装置。
【手続補正書】
【提出日】平成15年11月17日(2003.11.17)
【手続補正１】
【補正対象書類名】明細書
【補正対象項目名】請求項１
【補正方法】変更
【補正の内容】
【請求項１】
ケミカルポンプ（１３）の動力加圧により、安定化二酸化塩素貯液タンク（１０）から、安定化二酸化塩素の０．０５％から５％の範囲の溶液（１１）を、ノズル（１５）を通して、紫外線殺菌灯を取り巻く二重輪構造の石英ガラス管（（３），（４））の内側間隙下部に注入し、紫外線殺菌灯照射により二酸化塩素に変質させ、石英ガラス管上部から溢れた溶液を、配管（９）により循環湯水（１２）に定量づつ注ぐ装置。